(57)【要約】【課題】外付けグリップアダプタのグリップの握り部をさらに回動させ、グリップの握り部をカメラ本体のスタンド（支持機構）として利用する。【解決手段】カメラ１の底面に外付けしたアダプタ１２と、アダプタに一端を回動自在に取り付けたグリップの握り部１１とからなり、グリップの握り部が下方に回動するようにした外付グリップアダプタにおいて、グリップの握り部１１ｃをカメラ１の後方まで回動可能とし、回動した握り部１１ｃとアダプタ本体１２とがカメラ１本体を支持台２０上に支持する支持部を兼用するようにした。【選択図】        図１
2004170673.tif 000002
【特許請求の範囲】
【請求項１】
カメラの底面に外付けしたアダプタと、アダプタに一端を回動自在に取り付けたグリップの握り部とからなり、グリップの握り部がカメラの側面に沿って設けられ、かつ、前記一端を中心にカメラ側面から下方に回動するようにした外付けグリップアダプタにおいて、グリップの握り部をカメラの後方まで回動可能とし、回動した握り部とアダプタ本体とがカメラ本体を支持台上に支持する支持部を兼用することを特徴とするカメラのグリップアダプタ。
【請求項２】
前記握り部のカメラ後方における回動を微小回動可能としカメラをチルト可能にしたことを特徴とする請求項１記載のカメラのグリップアダプタ。
【発明の詳細な説明】
【０００１】
【発明の属する技術分野】
本発明は、カメラのグリップアダプタに関し、さらに詳しくは、外付けグリップをスタンドに兼用することができるようにしたグリップアダプタに関する。
【０００２】
【従来の技術】
近年、カメラの小型化とともにグリップホールド性を重視するか、小型化を重視するか、ユーザー嗜好の２つの選択枝がある。このような２つの異なる選択枝に対してホールド性の高いグリップを外付けとし、カメラ本体は極力小型化し、双方のユーザーに対応する方式が増えることが予想される。
【０００３】
外付けのグリップとしては、グリップの握り部がレバー状で、その下端を中心として回動し、撮影時には下方に突出したレバー状のグリップの握り部を掌中に収めてカメラを自由に操作することができ、一方不使用収納時はグリップの握り部がカメラ側面に密着し、収納性を高めたグリップが工夫されている。このような外付けグリップアダプタはカメラ本体に三脚ねじ孔で固定されるため、グリップアダプタを装着したままで三脚を用いて、定位置撮影をすることができない。つまり、三脚を取付けて自立させておくには、一旦グリップアダプタを取外して三脚を取付ける必要があり、不便であった。
【０００４】
携帯性と、大容量の記憶を状況に応じて使い分けるために大きな記録容量を有する別の記録媒体を装着する装着部と、ユニット本体を電子カメラに着脱自在に装着する装着機構と、画像データの送受を行うデータ接続手段とを備えた電子カメラ用拡張ユニットを装着する機構として、電子カメラの三脚ねじ用孔に螺合するねじを有し、ねじを中心とした円周上に接続用の接点を配設したものがある（例えば、特許文献１参照。）。
【０００５】
また、画像の撮影時における使用者の構えやすさと、画像データを編集する編集時の操作のしやすさとを共に兼ね備えた画像入力装置として、画像データを蓄積部に蓄積し、データを編集する編集操作部を有し、グリップ部をヒンジ機構部を介して連結し、撮影時には、グリップ部を回動させて下方に移動させ、編集時には、装置本体の底面とグリップ部の底面とが同一面となる位置にグリップ部を移動させるものがある（例えば、特許文献２参照。）。
【０００６】
この技術は、カメラ本体と一体となった回動グリップであって、撮影時の各ポジションにおけるホールド性がよく、三脚ねじも使用可能である。しかし支持機構としての機能がない。
【０００７】
【特許文献１】
特開２０００−３５００７３号公報
【特許文献２】
特開平９−６５１９１号公報
【０００８】
【発明が解決しようとする課題】
本発明は、以上の実情に鑑み開発されたもので、外付けグリップアダプタによりカメラのホールド性を向上させると共に、グリップの握り部をさらに回動させることにより、グリップの握り部をカメラ本体のスタンド（支持機構）として利用することができるようにした、カメラのグリップアダプタを提供することを目的とするものである。
【０００９】
【課題を解決するための手段】
本発明の技術手段は、カメラの底面に外付けしたアダプタと、アダプタに一端を回動自在に取り付けたグリップの握り部とからなり、グリップの握り部がカメラの側面に沿って設けられ、かつ、前記一端を中心にカメラ側面から下方に回動するようにした外付けグリップアダプタにおいて、グリップの握り部をカメラの後方まで回動可能とし、回動した握り部とアダプタ本体とがカメラ本体を支持台上に支持する支持部を兼用することを特徴とするカメラのグリップアダプタである。
【００１０】
また、前記握り部のカメラ後方における回動を微小回動可能とし、カメラをチルト可能にすると、カメラの向く俯仰方向を撮影対象に合わせることが容易にできるので、好適である。
【００１１】
【発明の実施の形態】
以下図面を参照して本発明の実施の形態を説明する。
【００１２】
図２は、本発明に係るグリップアダプタ１０を備えたカメラ１の斜視図である。図２は、グリップアダプタ１２とカメラ１とを切り離した状態を示している。カメラ１は、レンズ２、ファインダ３、設定ボタンや操作ボタンを供えた操作部４等を備え、その底面５にグリップアダプタ１０を着脱自在に取付けることができるようになっている。グリップアダプタ１０は、グリップの握り部１１、アダプタ本体１２とからなり、カメラの底部に取付けるねじ１３を付属している。
【００１３】
図３は、このグリップの握り部１１の従来の使用状態を示す側面図である。グリップの握り部１１は、１１ａで示すように、不使用状態ではカメラ１の側面に沿う状態に保持され、邪魔にならないようになっている。使用時には、矢印１６で示すように、約１５０〜１７０°下方に回動してカメラの下側に突出するように位置させ、この状態で操作者は片手でグリップの握り部１１ｂを握り、カメラ１を自在に操作して、移動物体を撮影したり、ムービー撮影をしたりすることができるようになっている。
【００１４】
図１は本発明の実施の形態を示す側面図である。図１に示すように、グリップの握り部１１ｃを矢印１４で示すようにカメラ１の側面の位置から２８０〜３００°回動させて、カメラを支持台２０上に載置して支持させる。つまり、アダプタ本体１２とグリップの握り部１１ｃとが、カメラをやや上向きに安定的に台上に保持する。また、グリップの握り部１１は、矢印１５で示すように、さらに微小回動させて、１１ｄに示すようにすることができ、カメラの俯仰角度を任意に調整することができる。
【００１５】
【発明の効果】
本発明によれば、外付けのグリップアダプタを、グリップとして用いるほかに、カメラを台上に載置して保持する支持装置として用いることができ、この場合にカメラの微妙なチルトも可能にした。従って、ホールド性、収納性、操作性に優れたグリップアダプタを、さらに支持装置としても使用することができるという優れた効果を奏する。
【図面の簡単な説明】
【図１】実施例の側面図である。
【図２】実施例の斜視図である。
【図３】従来の側面図である。
【符号の説明】
１    カメラ
２    レンズ
３    ファインダ
４    操作部
５    底面
１０    グリップアダプタ
１１    握り部
１２    アダプタ本体
１３    ねじ
１４、１５、１６    矢印
２０    支持台
【図１】
2004170673.tif 000003
【図２】
2004170673.tif 000004
【図３】
2004170673.tif 000005